(57)【特許請求の範囲】
【請求項１】
複数の巻線（９〜１４）をもつ、電気機械の巻線装置に対する電流導入及び電流導出のための複数の電気導体（１〜６）を備え、
それぞれの巻線（９，１０）に対する電流導入のための導体（１）と電流導出のための導体（４）とが、それぞれ１つの導体対（１，４）を形成すると共に互いに隣接して配置され、それによりこの導体対（１，４）の電流ベクトル（ＩＵ１；ＩＵ２）の位相角（ΦＵ１；ΦＵ２）の差が１８０°となるようにした導体装置。
【請求項２】
複数の導体（１〜６）が、直接隣接している導体（１，４）；（４，６）；（６，３）；（３，５）；（５，２）の電流ベクトル（ＩＵ１，ＩＵ２，ＩＶ１，ＩＶ２，ＩＷ１，ＩＷ２）の位相角（ΦＵ１，ΦＵ２，ΦＶ１，ΦＶ２，ΦＷ１，ΦＷ２）の差が１８０°となるように配置されている請求項１に記載の導体装置。
【請求項３】
巻線（９，１０）；（１１，１２）；（１３，１４）の少なくとも１つに対するそれぞれ電流導入及び電流導出のための複数の導体対（１，４）；（６，３）；（５，２）を備え、隣接している導体対（１，４）；（６，３）；（５，２）の電流導入のための導体（１，３，５）或いは電流導出のための導体（２，４，６）が互いに隣接して配置されている請求項１又は２に記載の導体装置。
【請求項４】
巻線（９，１０）；（１１，１２）；（１３，１４）の少なくとも１つに対するそれぞれ電流導入及び電流導出のための複数の導体対（１，４）；（６，３）；（５，２）を備え、隣接している導体対（１，４）；（６，３）；（５，２）において、それぞれ、１つの導体対（６，３）の電流導入のための導体（３）が隣接している導体対（１，４）の電流導出のための導体（４）に隣接している請求項１又は２に記載の導体装置。
【請求項５】
主軸線（８）に沿って配列された導体装置であって、複数の導体（１〜６）がこの主軸線（８）に沿って互いに間隔を隔てた複数の導体平面（Ｅ１，Ｅ２，Ｅ３，Ｅ４，Ｅ５，Ｅ６）に配置されている請求項１乃至４の１つに記載の導体装置。
【請求項６】
６つの導体平面（Ｅ１，Ｅ２，Ｅ３，Ｅ４，Ｅ５，Ｅ６）を備え、各導体平面（Ｅ１，Ｅ２，Ｅ３，Ｅ４，Ｅ５，Ｅ６）に導体（１〜６）の１つが配置されている請求項５に記載の導体装置。
【請求項７】
５つの導体平面（Ｅ１，Ｅ２，Ｅ３，Ｅ４，Ｅ５）を備え、この導体平面の１つ（Ｅ２）に２つの導体（１，５）が配置されている請求項５に記載の導体装置。
【請求項８】
２つの導体対（１，４）；（５，２）の２つの導体（１，５）が１つの導体平面（Ｅ２）に共通に配置されている請求項５に記載の導体装置。
【請求項９】
２つの導体（１，５）がそれぞれ巻線（９，１０；１３，１４）の１つに対する電流導入或いは導出のために使われている請求項８に記載の導体装置。
【発明の詳細な説明】
【０００１】
本発明は、複数の巻線をもつ、電気機械、特に発電機の巻線装置に対する電流導入及び電流導出のための複数の電気導体を備えた導体装置に関する。
【０００２】
通常、回転電機、例えば発電機は少なくとも１つの電気巻線（相巻線とも呼ばれる）を備えている。電機の運転の際この巻線には電流が加えられる。このために巻線に電流を導入するための及び／又はこの巻線から電流を導出するための電気導体を備えた導体装置が設けられる。一般に、導体中には近接効果に起因する損失が発生する。
【０００３】
回転電機として形成されている電気機械は固定子巻線を備えた固定子と回転子巻線を備えた回転子とを有している。回転電機の構成に応じて、即ち、発電機或いは電動機として、固定子巻線及び／又は回転子巻線に対して電流導入及び／又は電流導出のための導体装置が設けられている。セクベンツ、ハインリッヒ著「電気機械の巻線」（第１乃至４巻、１９５４年、ウイーン、シュプリンガ出版社発行）に、回転電機及びその巻線の多数の実施例が記載されている。
【０００４】
ギールシュ、ハンス・ウルリッヒ著「電気機械」（１９８２年、シュツットガルト、トイプナ出版社発行、第１５８頁）に、三相交流運転用として３つの相Ｕ，Ｖ，Ｗを備えて構成されている回転電機の電気巻線のための巻線図が説明されている。この巻線の各々は巻線始端と巻線終端とを有している。それによれば巻線始端はＵ１，Ｖ１，Ｗ１で、巻線終端はＵ２，Ｖ２，Ｗ２で示されている。この巻線構成図からは、どのように巻線始端への電流導入或いは巻線終端からの電流導出が行われるか、そしてこのために導体装置が設けられているかどうかは知ることができない。
【０００５】
米国特許第４１３２９１４号並びに第４２００８１７号明細書には、それぞれ、特別な巻線構成が記載され、２つの隣接している巻線の間の電圧差が、例えば隣接している巻線間の閃絡を回避するために、如何にして、できるだけ小さく保たれるかについて、その対策が提案されている。
【０００６】
米国特許第４３１５１７９号及び第４３３６４７４号明細書からは巻線装置の巻線端の接続要素が公知である。この接続要素に作用する電磁力をできるだけ小さくするために、隣接している接続要素における電流の位相関係を適切にすること並びに接続要素を軸方向に互いに間隔を取ることが行われている。
【０００７】
上述の文献は全て発電機の巻線に係わるものである。しかしながら、これらは巻線装置に対する電流導入及び電流導出のための導体装置に関するものではなく、特に導体装置における近接効果を問題とするものではない。
【０００８】
本発明の課題は、電気機械に関して、巻線装置に対する電流導入及び電流導出のための複数の電気導体を備えた導体装置において近接効果の小さいものを提供することにある。
【０００９】
この課題は、本発明によれば、複数の巻線をもつ、電気機械、特に発電機の巻線装置に対する電流導入及び電流導出のための複数の電気導体を備えた導体装置において、それぞれの巻線に対する電流導出のための導体と電流導出のための導体とが１つの導体対を形成しかつ互いに隣接して配置され、それによりこの導体対の電流ベクトルの位相角の差ができるだけ大きく、特に１８０°になるようにすることにより解決される。
【００１０】
なお、導体対とは、以下においては常に、それぞれ少なくとも１つの巻線に対する電流導入及び電流導出のための２つの導体の組み合わせを意味する。
【００１１】
導体対の導体は、すなわち、発電機の運転の際に互いに隣接している導体において電流が巻線に対して導入及び導出されるように配置されている。これらの導体に流れる電流は互いに１８０°の位相差を持っている。これにより、この導体対に起因する、他の導体内の電流密度分布の影響は、この導体対によって生ぜしめられた磁界によって減少し、従って他の導体内の近接効果が減少する。それ故、近接効果による導体中の損失も小さく、これにより導体の著しい加熱の危険及びこの加熱により生ずることのある、導体を取り囲む絶縁の損傷の危険が減少する。この導体装置においては、即ち、発生する加熱は比較的僅かである。このことは、特にこれらの構造部分が間接冷却されるときには、重要な利点である。確かに、上述の対策による損失出力の削減は全体の損失出力に比較して無視できるが、この削減により導体装置の範囲における構造部分の温度が例えば１８０℃から１２０℃に明らかに低下し、それ故、冷却手段を補強する必要なく、許容の温度範囲における運転を可能にする。
【００１２】
発生する近接効果の基準は、特に、導体中に形成されるそれぞれの導体電流のそれぞれの電流ベクトルに関係する。なお、ここで電流ベクトルとは複素計算のための複素範囲において正弦状導体電流に属する変換された量を意味する。近接効果は、さらに、それぞれの導体断面積、それぞれの導体周囲長並びに導体相互の間隔により影響を受ける。
【００１３】
特に、導体は、その場合、２つの直接に隣接している導体の導体電流の電流ベクトルの和によって形成される各々の和電流ベクトルができるだけ小さい値を持つように配置されるのがよい。隣接している導体の和電流ベクトルは、導体電流の電流ベクトルの位相角の差ができるだけ大きいときに小さい。本発明による導体装置においては、２つの隣接している導体の導体電流の相互干渉は、これらの電流の電流ベクトルの和電流ベクトルが小さければ小さいほど、それだけ小さい、ということを利用している。導体電流に起因する磁界はこの場合大幅に相互に相殺される。導体装置が６つの導体を備えている場合、これらの導体は、３つの互いに隣接している導体のそれぞれの和電流ベクトルができるだけ小さい値を持つように配置される。
【００１４】
１つの好適な実施態様において、この導体装置は、それぞれ少なくとも１つの巻線に対する電流導入及び電流導出のための複数（特に３つ）の導体対を備え、隣接している導体対の電流導入のための導体或いは電流導出のための導体が互いに隣接している。
【００１５】
通常、３つの相を備えた三相交流運転用として設けられているような３つの導体対を備えた導体装置において、この手段により、隣接している導体における電流ベクトルの位相関係ができるだけ大きいことが確保される。しかも、既に述べたように、１つの導体対の導体間の位相差は１８０°、そして互いに相接している導体対の隣接している導体間では１２０°になる。
【００１６】
これに代る有利な実施態様においては、１つの導体対の電流導入のための導体は隣接している導体対の電流導出のための導体に並んで配置される。隣接している導体対の間の位相関係はこの場合６０°に過ぎず、これは、前記の構成例に比較して、近接効果の点では不利である。しかしながら、この不利益は構造的な構成が簡単になるという利益によって相殺され、特にこれにより導体の巻線装置への接続が比較的簡単に形成される。
【００１７】
６つの導体を備えたこの導体装置においては、ある時点で、それぞれ０°の基準位相角に対して、第一の導体対の導体における導体電流の電流ベクトルの位相角は９０°及び−９０°、第二の導体対の導体においては１５０°及び−３０°、そして第三の導体対の導体においては−１５０°及び３０°である。第二の導体対は２つの他の導体対の間に配置されているのがよく、その場合位相角−１５０°をもつ導体は第一の導体対の位相角−９０°をもつ導体に隣接し、位相角−３０°をもつ導体は第三の導体対の位相角−１５０°をもつ導体に隣接している。
【００１８】
その他の好適な実施態様において、この導体装置は主軸線に沿って整列され、この主軸線に沿って互いに間隔を置いた導体平面を備えている。導体はこの導体平面に製造技術的に容易に配置することができる。その場合、１つの導体平面に複数の導体を配置することもできる。導体はこのような配置において容易に交換可能であり、導体平面間の間隔、従って導体間の間隔は容易に変え、個々に近接効果の減少を達成するために調整することができる。
【００１９】
特に導体装置は６つの導体平面を備え、各導体平面には導体の１つが配置されるのがよい。この導体装置は、これにより、一つには三相交流での運転用として設計され、導体に流れる導体電流の相互干渉は、各導体には１つの導体しか配置されていないので減少する。
【００２０】
６つの導体においてかつ前述の相互の配置を考慮して、第一の導体対は導体平面１，２に、第二の導体対は導体平面３，４に、そして第三の導体対は導体平面５，６に配置されていることになる。この場合特にまた、隣接している導体対の互いに境を接する導体がそれぞれ電流導入のため及び電流導出のために使われ、それによりその導体電流が１２０°の位相差をもつように考慮されねばならない。
【００２１】
偶数個の導体と、これに同じ数の導体平面を備えた導体装置に対しては、本発明によれば、以下のように、導体を導体平面に対応させることができる。
【００２２】
即ち、導体は対に分割され、この対の２つの導体にその磁界が殆ど完全に相殺するように導体電流が流れるようにする。即ち、このような対の導体電流の共通の磁界は非常に小さい、殆ど消滅するような磁界の強さを持っている。これは特定の導体対において生ずる。導体装置の導体平面は対平面に纏められ、その際、各導体対は直接互いに並んで配置された２つの導体平面を包含する。上述の方法は、各対平面にそれぞれ正確に１つの対が配置され、その際各対の位置は任意であることによって得られる。１つの対平面の各導体平面には、その場合、それぞれ正確に対の１つの導体が配置され、この対の導体の位置はしかしながら任意である。６つの導体の場合、導体はそれゆえ対に、特に３つの導体対に纏められる。
【００２３】
さらに、この導体装置は５つの導体平面を備え、この導体平面の１つに複数（特に２つ）の導体が配置される。これにより導体平面の数が削減され、これにより導体装置の寸法が小さくなる。
【００２４】
特に、この場合、２つの導体対の２つの導体が１つの導体平面に配置されているのがよい。この２つの導体がそれぞれ巻線の１つに対する電流導入或いは電流導出のために使われる場合、特に目的に適っている。この場合、隣接している導体に対して最大限に可能な大きい位相差が達成されるからである。この構成は、それ故、導体において発生する近接効果が特に小さい、という利点を持っている。
【００２５】
さらに、別の好適な実施態様においては、隣接している導体はできるだけ長い区間に沿って重なっているのがよい。これにより隣接している導体における導体電流の磁界が最大可能な長さにわたって大幅に相殺される。
【００２６】
その他の好適な実施態様において、隣接している導体平面は互いにそれぞれ７０ｍｍ〜１００ｍｍ、特に８０ｍｍの間隔を持っている。導体平面をこのような間隔に隔てることは、特に大形の電気機械の導体装置において、一方ではこの間隔をできるだけ大きく選び、これにより導体平面における電流の相互干渉が減少することと、同時にこの間隔を導体装置を取り扱うことができる程度に小さく選ぶという考慮に基づいている。上述の範囲内の間隔は、構造的な周辺条件を顧慮すると、導体平面における導体の電流の相互干渉に関して、このために特に好ましく、同時にこの構成は容易に取り扱い可能である。
【００２７】
特に、巻線終端に接続される導体、即ち電流導出のための導体は、互いに短絡されているのがよい。これらの巻線はこれにより簡単な方法で星形に結線されている。
【００２８】
さらに別の好適な実施態様においては、導体周囲長と導体断面積との比がπ（ｌ／ｍｍ）〜３０（ｌ／ｍｍ）であるのがよい。この比をこのように選択すると、用立てられる導体断面積が全面側からの近接効果にもかかわらず特に均一な電流分布を有している。このために、表面、従って導体周囲長をできるだけ大きく選ぶことが好ましい。その場合、導体周囲長は任意に大きく選択することはできないから、設計的視点が考慮されることは勿論である。
【００２９】
図面に示された実施例によりこの導体装置を詳しく説明する。なお、図面は模式的に示しかつ実寸どおりには示していない。また、各図において同一部分は同一の符号を備えている。
【００３０】
図１には６つの導体１〜６を備えた導体装置７の回路図が示されている。これらの導体はそれぞれ端子Ｕ１，Ｗ２，Ｖ１，Ｕ２，Ｗ１，Ｖ２を備えている。この導体装置７は主軸線８に沿って配列され、６つの導体平面Ｅ１，Ｅ２，Ｅ３，Ｅ４，Ｅ５，Ｅ６を備えている。導体平面Ｅ１には導体１が、導体平面Ｅ２には導体４が、導体平面Ｅ３には導体６が、導体平面Ｅ４には導体３が、導体平面Ｅ５には導体５が、そして導体平面Ｅ６には導体２が配置されている。
【００３１】
この回路図は、主軸線８に沿って配列され、６つの巻線９〜１４を展開した巻線装置を示している。これらの巻線は図２の固定子２７の周囲に沿って配置されている。方向２９，３０はそれぞれ周囲方向を指し、展開の方向を示す。巻線９は巻線始端１５及び巻線終端１６を、巻線１０は巻線始端１７及び巻線終端１８を、巻線１１は巻線始端１９及び巻線終端２０を、巻線１２は巻線始端２１及び巻線終端２２を、巻線１３は巻線始端２３及び巻線終端２４を、巻線１４は巻線始端２５及び巻線終端２６を備えている。各巻線始端及び各巻線終端は導体１〜６の１つに接続されている。このような構成により巻線９〜１４は固定子２７及び／又は回転子の外部で導体１〜６を介して任意に、例えば星形に或いは三角結線に接続される。
【００３２】
巻線９，１０は並列接続され、その巻線始端１５，１７は導体１を介して、巻線終端１６，１８は導体４を介して互いに電気的に接続されている。巻線１１，１２は同様に並列接続され、その巻線始端１９，２１は導体３を介して、巻線終端２０，２２は導体６を介して互いに電気的に接続されている。同様に巻線１２，１３も並列接続され、その巻線始端２３，２５は導体５を介して、巻線終端２４，２６は導体２を介して互いに電気的に接続されている。それ故、導体電流ＩＵ１は端子Ｕ１及び導体１を介して巻線９，１０に導入され、これらから導体４及び端子Ｕ２を介して導体電流ＩＵ２が導出される。さらに、導体電流ＩＶ１は端子Ｖ１及び導体３を介して巻線１１，１２に導入され、これらから導体電流ＩＶ２として導体６及び端子Ｖ２を介して導出される。同様に、巻線１３，１４には端子Ｗ１及び導体５を介して導体電流ＩＷ１が導入され、巻線１３，１４から導体電流ＩＷ２として導体２及び端子Ｗ２を介して導出される。
【００３３】
端子Ｕ１，Ｖ１，Ｗ１は、即ち、巻線始端１５，１７；１９，２１；２３，２５への電流導入のために、端子Ｕ２，Ｖ２，Ｗ２は巻線終端１６，１８；２０，２２；２４，２６からの電流導出のために作用している。１つの巻線（例えば９，１０）への電流導入のための導体（例えば１）はそれぞれこの巻線９，１０からの電流導出のための導体４に隣接しているので、これらの両導体１，４を通って流れる電流の位相差は最大であり、１８０°となる。これにより他の導体（２，３，５，６）の影響は近接効果に関して可能な限り小さく保たれている。両導体１，４は１つの導体対を形成する。
【００３４】
巻線９〜１４及び導体装置７は動作周波数範囲Δｆ、例えば４０Ｈｚ〜７０Ｈｚ内の三相交流運転用に設計されている。導体電流ＩＵ１，ＩＵ２，ＩＶ１，ＩＶ２，ＩＷ１，ＩＷ２の電流ベクトルＩＵ１，ＩＵ２，ＩＶ１，ＩＶ２，ＩＷ１，ＩＷ２はそれぞれ対応する位相角ΦＵ１，ΦＵ２，ΦＶ１，ΦV２，ΦＷ１，ΦＷ２を持っており、これらは時点ｔ0における基準位相角としての０°に対して、ΦＵ１＝９０°，ΦＵ２＝−９０°，ΦＶ１＝−３０°，ΦＶ２＝１５０°，ΦＷ１＝−１５０°，ΦＷ２＝３０°である。それ故、この実施例では、それぞれ電流導入及び導出のための互いに隣接する３つの導体対（１，４）；（６，３）；（５，２）がそれぞれ２つの巻線（９，１０）；（１１，１２）（１３，１４）に対して設けられている。
【００３５】
導体１〜６が平面Ｅ１〜Ｅ６に前述のように配置されていることにより、直接隣接している導体における導体電流の和ベクトルの位相角の差は最大限に大きい。１つの導体対の導体（例えば、１，４）の間においてこの位相差は１８０°であり、互いに隣接した導体対（１，４）；（６，３）；（５，２）の間ではこの位相差は図１の構成において１２０°となる。この場合、２つの隣接する導体対（１，４；６，３）の電流導出のための導体（例えば４，６）は互いに隣接している。第一の導体対（１，４）の電流導出のための導体４は、それ故、第二の導体対（３，６）の電流導出のための導体６に隣接している。従って、３相交流装置において全ての隣接導体（１〜６）の間には可能な限り大きい位相差が得られる。可能な限り大きい位相差とは、隣接する導体（１，４）；（４，６）；（６，３）；（３，５）；（５，２）の和ベクトルの値が可能な限り小さいということと同義である。既に述べたように、１つの導体対（１，４）の電流ベクトル（例えばＩＵ１，ＩＵ２）の位相角の差の値は１８０°である。従って、導体電流ＩＵ１及びＩＵ２の電流ベクトルＩＵ１，ＩＵ２の和によって形成される導体対（１，４）の和ベクトルの値は零に等しい。同じことは他の両導体対（６，３）；（５，２）に対しても同様に当てはまる。
【００３６】
導体１〜６における近接効果は本発明による導体装置により効果的に減少され、従って導体１〜６における電気的損失は減少されている。導体１〜６における近接効果の減少は、導体６が導体平面Ｅ４に、導体３が導体平面Ｅ３に配置されている場合にも達成される。このことは、隣接する導体対（例えば１，４；６，３）において一方の導体対（１，４）に対する電流導出のための導体４が他方の導体対（６，３）に対する電流導入のための導体３に隣接していることを意味する。３相交流装置においては、従って、導体対（１，４）と導体対（３，６）との間、即ち導体４と導体３との間に６０°の位相差が達成されている。
【００３７】
図２には導体装置７の構成が３次元で表されている。巻線９〜１４は、この場合、図１に従って、図には詳しく示されていない回転電機の固定子２７の周囲に沿って配置されている。方向２９，３０は、この場合、図１に従い周囲方向を指している。分かりよくするために、固定子２７には巻線始端１７，２１，２３，２５並びに巻線終端１６，１８，２２，２６だけが示されている。巻線始端１５，１９並びに巻線終端２０，２４は見えていない。導体１〜６は図１に従いそれぞれ導体平面Ｅ１〜Ｅ６の１つに配置されている。導体１〜６はそれぞれその幅４０，３６，３８，４１，３７，３９及びその高さ４６，４２，４４，４７，４３，４５を備えた矩形断面形状を持っている。分かりやすくする理由から導体１〜６には接触位置１５Ａ〜２６Ａが示され、この位置に導体１〜６（図１による）が巻線始端１５，１７，１９，２１，２３，２５並びに巻線終端１６，１８，２０，２２，２４，２６が接続されている。
【００３８】
隣接した導体平面（Ｅ１，Ｅ２）；（Ｅ２，Ｅ３）；（Ｅ３，Ｅ４）；（Ｅ４，Ｅ５）；（Ｅ５，Ｅ６）はそれぞれ８０ｍｍの間隔３１〜３５を置いて配置されている。これにより、隣接する導体によって導かれている導体電流の相互干渉は小さい。回転電機の寸法設計に応じてこの間隔３１〜３５は、近接効果の結果において発生する損失が小さいように選ばれる。
【００３９】
同様に、各導体のそれぞれの高さ４６，４２，４４，４７，４３，４５とそれぞれの幅４０，３６，３８，４１，３７，３９とから生ずるそれぞれの導体断面積は、導体周囲長とこの導体周囲長によって形成される導体断面積とのそれぞれの比ができるだけ大きいように選ばれる。この場合、導体１〜６の高さ４６，４２，４４，４７，４３，４５及び幅４０，３６，３８、４１，３７，３９は回転電機の寸法を考慮して選ばれねばならないことは勿論である。特に、導体１〜６の高さ４６，４２，４４，４７，４３，４５は主軸線８の方向に例えば主軸線８に沿って延びる回転軸或いは他の巻線構造部によって制約されている。導体周囲長と導体断面積との比はこの場合π（ｌ／ｍｍ）〜３０（ｌ／ｍｍ）に選ばれている。
【００４０】
導体１〜６を導体平面Ｅ１〜Ｅ６に配置することにより構造的に簡単な導体敷設ができ、さらに、導体１〜６の交換が簡単になる。導体１〜６を支持するための手段は、見やすくする理由から、図２には示されていない。
【００４１】
図３には、主軸線８に沿って導体平面Ｅ１の方向に見た導体装置７の平面図を著しく概略化して示している。図３からは、導体１〜６はそれぞれの円周に沿って延びていることが分かる。より見やすくするために、導体平面Ｅ１〜Ｅ６は互いに内側に嵌るように示され、相前後には示されていない。隣接した導体はそれぞれ１つの対を形成している。即ち、導体１，４は対Ｐ１を、導体４，６は対Ｐ２を、導体６，３は対Ｐ３を、導体３，５は対Ｐ４を、そして導体５，２は対Ｐ５を形成している。
【００４２】
これらの対Ｐ１，Ｐ２，Ｐ３，Ｐ４，Ｐ５の各々の導体１〜６は、１つの対に付属する導体が共通に延びるそれぞれの円周範囲が最大限に大きいように構成されている。換言すれば、対Ｐ１の導体（１，４）は円周に沿って最大可能な長さをもつ区間にわたって重なっている。各対の導体電流の磁界は、それ故、それぞれの円周範囲に沿って、もしくは対Ｐ１の導体１，４のそれぞれの共通の区間に沿って殆ど相互に相殺している。例えば、対Ｐ１の導体１と４は円周範囲１００に沿って共通に延びている。円周範囲１０１，１０２には対Ｐ１の１つの導体、即ち導体１のみが延びており、この導体１に流れる導体電流の磁界は導体６，３，５，２の電流に作用するが、この作用は、円周範囲１０１，１０２がこの場合非常に小さいから、いずれにしても小さい。理想的には導体１〜６は、それら全てが同一の円周範囲にわたって延びているように形成されよう。これによって、導体電流の磁界の相互作用は大幅に減少する。一般に構造的理由からこのような導体構成は、不可能でないとしても、困難である。
【００４３】
図４には導体平面Ｅ１〜Ｅ５を備えた導体装置７Ａの回路図が示されている。この導体装置７Ａは巻線９〜１４及びその巻線始端１５，１７，１９，２１，２３，２５並びに巻線終端１６，１８，２０，２２，２４，２６に接続されている。図１とは異なり、この導体装置７Ａは５つの導体平面Ｅ１〜Ｅ５しか持っていない。これによりこの導体装置７Ａにおいては導体平面Ｅ１〜Ｅ５の間の間隔３２〜３５は、図１〜３による導体装置７の場合よりも、両導体装置７，７Ａが主軸線の方向に同一寸法を持っているとしたら、大きく選ばれる。これにより導体平面Ｅ１〜Ｅ５に配置された導体１〜６の相互干渉は減少して有利である。
【００４４】
導体１〜６に導かれた導体電流ＩＵ１，ＩＵ２，ＩＶ１，ＩＶ２，ＩＷ１，ＩＷ２の電流ベクトルＩＵ１，ＩＵ２，ＩＶ１，ＩＶ２，ＩＷ１，ＩＷ２の位相角を考慮すると（図１について記載されたのと同様に）、導体１〜６は、相互干渉が小さく、従って導体１〜６における近接効果が小さくなるように配置されている。なお、導体平面Ｅ１には導体４が、導体平面Ｅ２には導体１，５が、導体平面Ｅ３には導体２が、導体平面Ｅ４には導体６が、そして導体平面Ｅ５には導体３が配置されている。
【００４５】
このような導体装置において、１つのそれぞれの巻線（例えば９，１０もしくは１３，１４）に対する電流導入及び導出のための個々の導体対（４，１）；（５，２）の導体（例えば４，１及び５，２）は直接隣接することが保証される。２つの導体が配置される導体平面Ｅ２には、従って、２つの隣接する導体対（１，４）；（５，２）の導体（１，５）が配置されている。図４において導体平面Ｅ２に配置された２つの導体５，１はそれぞれ端子Ｗ１，Ｕ１を介して電流を導入するためのものである。これにより、導体４と５並びに導体１，２の間には６０°の位相差になる。導体５の代わりに導体２が導体平面Ｅ２に導体１とともに配置されると、隣接する導体４，２及び１，５の間の位相差はそれぞれ１２０°となり、近接効果の問題の点ではより好ましい。この場合、導体６，３は、同様に導体平面Ｅ４，Ｅ５におけるその配置に関して、隣接する導体３，５間に１２０°の位相差が達成されるために、交換される。
【００４６】
図５には、図３と同様に、主軸線８に沿って導体平面Ｅ６から導体平面Ｅ１の方向に見た導体装置７Ａの平面図を示す。図５には、どのように各導体１〜６がそれぞれの円周に沿って延びているかが示されている。この導体装置７Ａの３次元構成は図２に示された導体装置７と同様に実施される。ただ、この場合、導体平面Ｅ６は無く、導体平面Ｅ２には２つの導体１，５が配置されている。
【図面の簡単な説明】
【図１】  本発明による導体装置の電気回路図を示す。
【図２】  本発明による導体装置の構成図を示す。
【図３】  図２による導体装置の平面図を示す。
【図４】  本発明による異なる導体装置の電気回路図を示す。
【図５】  図４による異なる導体装置の平面図を示す。
【符号の説明】
１〜６        導体
７，７Ａ      導体装置
８            主軸線
９〜１４      巻線
１５，１７，１９，２１，２３，２５      巻線始端
１６，１８，２０，２２，２４，２６      巻線終端
２７          固定子
２９，３０    方向
３６〜４１    導体の幅
４２〜４７    導体の高さ
Ｅ１〜Ｅ６    導体平面
Ｕ１，Ｕ２    導体端子
Ｖ１，Ｖ２    導体端子
Ｗ１，Ｗ２    導体端子
ＩＵ１，ＩＵ２    導体電流
ＩＶ１，ＩＶ２    導体電流
ＩＷ１，ＩＷ２    導体電流
【図１】
0004502511.tif 000002
【図２】
0004502511.tif 000003
【図３】
0004502511.tif 000004
【図４】
0004502511.tif 000005
【図５】
0004502511.tif 000006